(57)【要約】      （修正有）【課題】五玉と４個の一玉によって表されるその桁の数がそろばん本体に表示されると共に複数の桁にあるすべての五玉とすべての一玉の位置によって表わされる数を報知手段によって発音される発音機能付きそろばん練習機を提供する。【解決手段】五玉１にスライド桁軸が固着され，五玉１がスライド桁軸と共に上下に移動可能に形成され，スライド桁軸が４個の一玉２の下部に延伸配置され，スライド桁軸上で４個の一玉２がスライド桁軸の長手方向に上下に移動可能に配設され，すべての五玉１とすべての一玉２の位置を検出する検出手段と、検出したすべての五玉１とすべての一玉２の位置によって表わされる数を発音する報知手段１３を有し，報知手段１３によりすべての五玉１とすべての一玉２の位置によって表わされる数が発音される。【選択図】図１
2012242815.tif 000002
【特許請求の範囲】
【請求項１】
複数の桁を有し，一の桁には１個の五玉と４個の一玉が上下に移動可能に形成されたそろばんにおいて，五玉にスライド桁軸が固着され，該五玉がスライド桁軸と共に上下に移動可能に形成され，スライド桁軸が４個の一玉の下部に延伸配置され，該スライド桁軸上で４個の一玉が該スライド桁軸の長手方向に上下に移動可能に配設され，すべての五玉とすべての一玉の位置を検出する検出手段と、該検出手段によって検出したすべての五玉とすべての一玉の位置によって表わされる数を発音する報知手段を有し，スライド桁軸の上面であって４個の一玉の位置によって形成される隙間に，五玉と４個の一玉の位置によって表されるその桁の数が表示されるようにスライド桁軸上面に該数を表示し，五玉と４個の一玉の位置によって表されるその桁の数をスライド桁軸上面であって４個の一玉の位置によって形成される隙間に表示すると共に，報知手段によりすべての五玉とすべての一玉の位置によって表わされる数が発音されることを特徴とする発音機能付きそろばん練習機。
【請求項２】
請求項１記載の発音機能付きそろばん練習機において，さらに報知手段による発音動作手段を設け，該発音動作手段を操作した時にだけすべての五玉とすべての一玉の位置によって表される数を報知手段により発音することを特徴とする発音機能付きそろばん練習機。
【請求項３】
請求項１記載の発音機能付きそろばん練習機において，少なくとも五玉と一玉のいずれかを移動させたのち所定時間の間にさらに五玉又は一玉のいずれかが移動しない場合に，報知手段による発音が行われることを特徴とする発音機能付きそろばん練習機。
【請求項４】
請求項１記載の発音機能付きそろばん練習機において，さらにモード切替手段と報知手段による発音動作手段が設けられ，モード切替手段を第１のモードに設定した際は，報知手段が動作せず，モード切替手段を第２のモードに設定した際は，発音動作手段を操作した時にだけ報知手段により発音し，モード切替手段を第３のモードに設定した際は，少なくとも五玉と一玉のいずれかを移動させたのち所定時間の間にさらに五玉又は一玉のいずれかが移動しない場合に，報知手段による発音が行われることを特徴とする発音機能付きそろばん練習機。
【発明の詳細な説明】
【技術分野】
【０００１】
本発明は，複数の桁を持ち，一の桁には１個の五玉と４個の一玉が上下に移動可能に形成されたそろばんについてのそろばん練習機に関するものであり，特に五玉と４つの一玉によって表わされるその桁の数をそろばん本体に表示すると共に，すべての五玉と一玉によって表わされる数を発音によって報知する機能を備えた発音機能付きそろばん練習機に関する。
【背景技術】
【０００２】
従来，そろばんの五玉と一玉の位置によって表される数がそろばん本体に表示されるそろばん練習機が提案されている（特許文献１）。該そろばん練習機は，五玉及び４個の一玉が挿通されている桁軸が断面扁平状に形成されると共に縦方向に３分割され，両側の桁軸が固定桁軸としてそろばん枠に固定され，中央の桁軸がスライド桁軸として五玉に固着され，五玉が両固定桁軸に挿通されて上下にスライド桁軸と共に移動可能に形成され，４個の一玉が両固定桁軸及びスライド桁軸に挿通されて上下に移動可能に形成され，梁より下部の４個の一玉の位置によって形成される一玉１個分の隙間部にあるスライド桁軸上面に，五玉と４個の一玉の位置によって表されるその桁の数が表示される構成と成っている。
【先行技術文献】
【特許文献】
【０００３】
【特許文献１】特開２００９−１９３０３８号公報
【０００４】
しかし，特許文献１に係るそろばん練習機は，五玉と４個の一玉の位置によって表されるその桁の数が，４個の一玉で形成される桁軸の隙間にあるスライド桁軸の上面に表示されるだけで，数字がしっかりと読めない幼児には五玉と４個の一玉によって表されるその桁の数が何なのかをその状態を見ただけでは理解することが出来ないという課題があった。
【０００５】
また数字を読むことが出来る者あっても，スライド桁軸上面に表示された数字を目で見て読み取る動作が必要で，五玉及び一玉を移動させるたびに該動作を行うことは，繰り返し練習する者にとって過大のストレスとなる場合があった。
【０００６】
さらには，五玉及び４個の一玉の位置とは関係なしにスライド桁軸上面に表示される数字を読むだけになってしまう場合もあり，結果として五玉及び４個の一玉の位置と，これによって表されるその桁の数を短時間で関連付けて記憶することが出来ない場合もある，という課題があった。
【０００７】
そろばん本来の機能は，計算の際に扱う数字によって親指と人差し指を運指して五玉及び一玉を移動させ，運指後の五玉及び一玉の全体の状態によって，その数字を最後に読み取ることができることにあり，上記のように五玉及び４個の一玉の位置とは関係なしにスライド桁軸上面に表示される数字だけを読むことに成ってしまうと，そろばんの本来の機能に基づいた，そろばんを扱う技術を取得できない場合があるという課題にも成っていた。
【０００８】
加えて，複数桁の場合その桁の数がそろばん本体のスライド桁軸の上面に表示はされるが，１０の位ではその桁の数は１であっても本来は１０であり，同様に１００の位ではその桁の数は１であっても本来は１００であるため，そのスライド桁軸の上面に表示された数を読み取るときはその桁の位を考えて１０とか１００とかといったように頭の中で換算する必要があるという課題があった。
【発明の概要】
【発明が解決しようとする課題】
【０００９】
本発明が解決しようとする課題は，五玉と４個の一玉によって表されるその桁の数がそろばん本体に表示されると共に複数の桁にあるすべての五玉とすべての一玉の位置によって表わされる数を位の表示も含めて報知手段によって発音され，このため数字が読めない幼児等であっても，該報知音で五玉と一玉によって表される数を理解することができ，また数字を読むことが出来る者であっても，該報知音が耳から自然に入ってくるため，数字を読むという動作が不必要となって該動作によるストレスが無くなり，さらには，報知手段により発音される数によって，その数と，五玉と４個の一玉の位置を素早く（数字を読むという作業なしで）関連付けて記憶に定着させることができ，結果としてそろばんを扱う技術を短期間で習得することができ，さらには複数桁のすべての五玉とすべての一玉によって表わされる数がその位を含めて報知されることによって，スライド桁軸の上面に表示された数を読み取るときにその桁の位を考えて本来の数を頭の中で換算するという作業を必要としない発音機能付きそろばん練習機を提供することにある。
【課題を解決するための手段】
【００１０】
請求項１記載の発明は，複数の桁を有し，一の桁には１個の五玉と４個の一玉が上下に移動可能に形成されたそろばんにおいて，五玉にスライド桁軸が固着され，該五玉がスライド桁軸と共に上下に移動可能に形成され，スライド桁軸が４個の一玉の下部に延伸配置され，該スライド桁軸上で４個の一玉が該スライド桁軸の長手方向に上下に移動可能に配設され，すべての五玉とすべての一玉の位置を検出する検出手段と、該検出手段によって検出したすべての五玉とすべての一玉の位置によって表わされる数を発音する報知手段を有し，スライド桁軸の上面であって４個の一玉の位置によって形成される隙間に，五玉と４個の一玉の位置によって表されるその桁の数が表示されるようにスライド桁軸上面に該数を表示し，五玉と４個の一玉の位置によって表されるその桁の数をスライド桁軸上面であって４個の一玉の位置によって形成される隙間に表示すると共に，報知手段によりすべての五玉とすべての一玉の位置によって表わされる数が発音されることを特徴とする発音機能付きそろばん練習機を提供する。
【００１１】
請求項２記載の発明は，請求項１記載の発音機能付きそろばん練習機において，さらに報知手段による発音動作手段を設け，該発音動作手段を操作した時にだけすべての五玉とすべての一玉の位置によって表される数を報知手段により発音することを特徴とする発音機能付きそろばん練習機を提供する。
【００１２】
請求項３記載の発明は，請求項１記載の発音機能付きそろばん練習機において，少なくとも五玉と一玉のいずれかを移動させたのち所定時間の間にさらに五玉又は一玉のいずれかが移動しない場合に，報知手段による発音が行われることを特徴とする発音機能付きそろばん練習機を提供する。
【００１３】
請求項４記載の発明は，請求項１記載の発音機能付きそろばん練習機において，さらにモード切替手段と報知手段による発音動作手段が設けられ，モード切替手段を第１のモードに設定した際は，報知手段が動作せず，モード切替手段を第２のモードに設定した際は，発音動作手段を操作した時にだけ報知手段により発音し，モード切替手段を第３のモードに設定した際は，少なくとも五玉と一玉のいずれかを移動させたのち所定時間の間にさらに五玉又は一玉のいずれかが移動しない場合に，報知手段による発音が行われることを特徴とする発音機能付きそろばん練習機を提供する。
【発明の効果】
【００１４】
本発明の請求項１記載の発音機能付きそろばん練習機は，五玉と４個の一玉の位置によって表されるその桁の数がそろばん本体であるスライド桁軸上面であって４個の一玉の位置によって形成される隙間に表示されると共に，報知手段によりすべての五玉とすべての一玉の位置によって表わされる数が位も含めて発音されるため，数字が読めない幼児等であっても，ある桁の五玉と４個の一玉の位置によって表されるその桁の数だけでなく，すべての五玉とすべての一玉の位置によって表わされる位を含めた数を報知音によって理解することができる効果がある。
【００１５】
また数字を読むことが出来る者であっても，該報知音が耳から自然に入ってくるため，数字を読み，また位を換算するという作業が不必要となって該作業によるストレスが無くなるという効果がある。さらには，報知手段により発音される数によって，その数と，五玉と一玉の位置を素早く（数字を読むという作業なしで）関連付けて記憶に定着させることができ，結果としてそろばんを扱う技術を短期間で習得することができるという効果がある。
【００１６】
加えて，五玉と一玉の位置によって表わされるその桁の数がスライド桁軸に表示されることで視覚によって確認できると共に，発音手段により聴覚によっても確認できるため，それぞれが単独で表示，発音される場合と較べて極めて効果的に短時間で五玉と４個の一玉の位置と，これによって表される数とを関連付けて記憶することが出来，そろばんを扱う能力が短期間で取得できる効果がある。
【００１７】
また本発明の請求項２記載の発音機能付きそろばん練習機は，上記請求項１記載の発音機能付きそろばん練習機に係る効果のほか，報知手段による発音が，発音動作手段を操作した時にだけ行われるという効果がある。このため，連続した運指のあとにすべての五玉とすべての一玉の位置によって表わされる数を発音によって確認することが出来るという効果があり，たとえば，多人数が同じ教室や部屋で本発明の発音機能付きそろばん練習機を使用する際，報知手段による発音が他人の練習の妨げになることが少ないという効果がある。
【００１８】
また本発明の請求項３記載の発音機能付きそろばん練習機は，上記請求項１記載の発音機能付きそろばん練習機に係る効果のほか，少なくとも五玉と一玉のいずれかを移動させたのち所定時間の間にさらに五玉又は一玉のいずれかが移動しない場合に，報知手段による発音が行われるため，連続した運指によりいずれかの五玉又は一玉が移動している間は，設定された所定時間の空き時間がない限り報知手段による発音がないという効果がある。このため，連続した運指によって五玉又は一玉を動かし続け，最後にその結果の数を発音及びスライド桁軸に表示された数で確認することが出来、発音が運指動作の途中で行われて，そろばん練習の妨げに成るということが無いという効果がある。
【００１９】
また本発明の請求項４記載の発音機能付きそろばん練習機は，上記請求項１記載の発音機能付きそろばん練習機に係る効果のほか，モード切替手段を第１のモードに設定したときは，報知手段が動作しないため，多人数が同じ教室や部屋で本発明の発音機能付きそろばん練習機を使用する際には報知手段による発音が他人のそろばん練習の妨げになることが無いという効果がある。またモード切替手段を第２のモードに設定したときは，上記請求項２記載の発音機能付きそろばん練習機によって奏される効果があり，またモード切替手段を第３のモードに設定したときは，上記請求項３記載の発音機能付きそろばん練習機によって奏される効果があり，モード切替手段によって，いろいろな使い方が出来る効果がある。
【図面の簡単な説明】
【００２０】
【図１】本発明に係る発音機能付きそろばん練習機の一実施例の状態斜視図である。
【図２】本発明に係る発音機能付きそろばん練習機の一実施例の平面図である。
【図３】本発明に係る発音機能付きそろばん練習機の一実施例の一の桁において，４個の一玉を取り外し，五玉が上に払われた状態を示す平面状態図である。
【図４】本発明に係る発音機能付きそろばん練習機の一実施例の一の桁において，４個の一玉を取り外し，五玉が上に払われた状態を示す側面断面状態図である。
【図５】本発明に係る発音機能付きそろばん練習機の一実施例の一の桁において，４個の一玉を取り外し，五玉が下に入れられた状態を示す平面状態図である。
【図６】本発明に係る発音機能付きそろばん練習機の一実施例の一の桁において，４個の一玉を取り外し，五玉が下に入れられた状態を示す側面断面状態図である。
【図７】本発明に係る発音機能付きそろばん練習機の一実施例における，１個の五玉又は一玉の上面を示す状態斜視図である。
【図８】本発明に係る発音機能付きそろばん練習機の一実施例における，１個の五玉又は一玉の下面を示す状態斜視図である。
【図９】本発明に係る発音機能付きそろばん練習機の一実施例における回路構成を示したブロック図である。
【図１０】本発明に係る発音機能付きそろばん練習機の一実施例における検出手段の回路構成例を示した状態図である。
【図１１】本発明に係る発音機能付きそろばん練習機の一実施例における検出手段の回路構成例で，五玉及び４個の一玉によって形成される回路と報知手段によって発音される数との関係を示す表である。
【発明を実施するための形態】
【００２１】
次に本発明に係る発音機能付きそろばん練習機を実施するための形態について説明する。
図１乃至図１１に基づき，発音機能付きそろばん練習機の一実施例である実施例１について詳細に説明する。
【実施例１】
【００２２】
図１は，本発明に係る発音機能付きそろばん練習機３０の一実施例の状態斜視図であり，図２は同平面図である。１は五玉であり２は一玉である。発音機能付きそろばん練習機３０は一の桁Ａと十の桁Ｂと百の桁Ｃの３桁で形成され，梁部３より上に五玉１が上下に移動可能に設けられ，梁部３より下に４個の一玉２が上下に移動可能に設けられた４玉のそろばんである。
【００２３】
五玉１及び一玉２は図７及び図８に示すように扁平半球状の弾き部１０の両側にＴ字形状の耳部１１が設けられ，耳部１１は弾き部１０と連なっている連接部１１ａと，該連接部１１ａの他端に略直角状に設けられたスライド片１１ｂとから成っている。スライド片１１ｂは連接部１１ａに対してやや厚みが薄く形成され，両者は段差をもって連続していて，該スライド片１１ｂは一の桁部Ａ，十の桁部Ｂ，百の桁部Ｃの幅広の溝部４ａ，４ｂの両側面に設けられた長穴部５に挿入されている。耳部１１の連接部１１ａとスライド片１１ｂとの接合部には段差部１１ｃが設けられ，該段差部１１ｃは溝部４ａ，４ｂの両側面の長穴部５に隣接した壁部６に摺動可能に当接し，これによって五玉１及び一玉２は一の桁部Ａ，十の桁部Ｂ，百の桁部Ｃの溝部４ａ，４ｂ内を上下に移動可能に形成されている。
【００２４】
梁部３より上の溝部４ａには１個の五玉１が上下に移動可能に形成され，梁部３より下の溝部４ｂには４個の一玉が上下に移動可能に形成され，各々溝部４ａ又は４ｂ内を上限又は下限位置まで移動させた際，五玉１又は一玉２の略玉厚み分の隙間が出来るように溝部４ａ及び溝部４ｂの溝長さが成っている。
【００２５】
五玉１の弾き部１０の下部には図３乃至図６に示すように長板状のスライド桁軸７が連設部７ａを介して固着され，スライド桁軸７は溝部４ａの底面下部に摺動可能に当接すると共に溝部４ｂの底面下部まで延伸配置されている。溝部４ａの底面には，連設部７ａが嵌合するガイド長孔８が穿設され，五玉１とスライド桁軸７が上下に移動する際，連設部７ａが該ガイド長孔８に沿って摺動するように成っている。
【００２６】
溝部４ｂの底面には４個の一玉２が置かれた位置によって形成される隙間の部分に窓部９が穿設されている。４個の一玉２が置かれた位置によって形成される隙間は溝部４ｂを上下方向に五分割したそれぞれの位置に形成されるため，窓部９は計五個が溝部４ｂに略等間隔で設けられている。
【００２７】
窓部９からはスライド桁軸７の上面を視認でき，五玉１が溝部４ａの上方位置に払われているときには（図３），窓部９に上から順に０，１，２，３，４，の数字が表示されるようにスライド桁軸７の上面に該数字が表示され，五玉１が溝部４ａの下方位置に入れられているときには（図５），窓部９に上から順に５，６，７，８，９，の数字が表示されるようにスライド桁軸７の上面に該数字が表示されている。
【００２８】
４個の一玉２が溝部４ｂ内を上下に移動して出来る隙間は，図１及び図２に示すように一の窓部９のみであるので，該窓部９には五玉１と４個の一玉２の位置によって表されるその桁の数が表示される。
【００２９】
五玉１及び一玉２に設けられた片側のスライド片１１ｂの裏面には図８に示すように導電板２０が貼着され，五玉１及び一玉２が溝部４ａ，４ｂ内を上下に移動した際，導電板２０と当接する所定位置に，図１及び図１０に示すように五玉１及び一玉２の位置を検出する検出手段１００である複数の検出端子１２，２２，３２，４２，５２，６２，７２が設けられている。該検出端子１２，２２，３２，４２，５２，６２，７２は各桁にそれぞれ設けられている。
【００３０】
検出端子１２，１２は一玉２の導電板２０によって閉じた回路を形成するように成っていて，該回路の開閉状態を制御部２００で検知し判断する。同様に検出端子２２と２２，３２と３２，４２と４２も同様に形成されている。
【００３１】
検出端子５２，５２は五玉１の導電板２０によって閉じた回路を形成するように成っていて，該回路の開閉状態を制御部２００で検知し判断する。検出端子６２，６２及び検出端子７２，７２は端子のみが設置され，五玉１又は一玉２の導電板２０が当接しても回路は形成されない。
【００３２】
検出端子１２，２２，３２，４２，５２によって形成された回路の組み合わせで各桁の五玉１と４個の一玉２の位置を検出することが出来，各桁の五玉１と４個の一玉２の位置によって，発音機能付きそろばん練習機３０の本体上面に設けられた報知手段であるスピーカ１３から，すべての五玉とすべての一玉の位置によって表わされる数を発音するように成っている。
【００３３】
検出端子１２，２２，３２，４２，５２によって形成された回路の組み合わせとスピーカ１３から発音される数の組み合わせ例を示したのが図１１であり，例えば，すべての桁の五玉１と一玉２によって表される数がそれぞれ０である場合（検出端子によって形成された回路の組み合わせが，それぞれ１２，２２，３２，４２の場合）は一の桁のゼロのみが発音され，百の桁の五玉１と一玉２によって表される数が０（検出端子によって形成された回路の組み合わせが，それぞれ１２，２２，３２，４２の場合），十の桁の五玉１と一玉２によって表される数が１（検出端子によって形成された回路の組み合わせが，１２，２２，３２の場合），一の桁の五玉１と一玉２によって表される数が６（検出端子によって形成された回路の組み合わせが，１２，２２，３２，５２の場合）は，十の桁のジュウと一の桁のロクが連続して発音される。
【００３４】
さらには百の桁の五玉１と一玉２によって表される数が１（検出端子によって形成された回路の組み合わせが，１２，２２，３２の場合），十の桁の五玉１と一玉２によって表される数が０（検出端子によって形成された回路の組み合わせが，それぞれ１２，２２，３２，４２の場合），一の桁の五玉１と一玉２によって表される数が３（検出端子によって形成された回路の組み合わせが，１２，２２，３２の場合）は，百の桁のヒャク、と一の桁のサンが連続して発音されるように成っている。
【００３５】
その他の各桁の検出端子１２，２２，３２，４２，５２によって形成される回路の組み合わせと発音される数との組み合わせの一部を図１１に示しているが，各桁の検出端子１２，２２，３２，４２，５２によって形成された回路の組み合わせによって，すべての五玉とすべての一玉の位置によって表わされる数がスピーカ１３から発音されるように成っている。
【００３６】
発音機能付きそろばん練習機３０の本体上面には，モード切替手段であるモード切替スイッチ１４，スピーカ１３からの発音を操作する発音動作手段である発音スイッチ１５が設けられ、さらには，検出手段１００，制御部２００，スピーカ１３に電力を供給する電源部１７であるところの電池ボックス１８が設けられ，電池ボックス１８には乾電池が内蔵されている（図示せず）。
【００３７】
モード切替スイッチ１４は３つのモードの切り替えを行うことが出来るように成っていて，図１及び図２に図示しているように第１のモードである１の位置にモード切替スイッチ１４があるときは，報知手段であるスピーカ１３からは発音されない。
【００３８】
モード切替スイッチ１４が第２のモードである２の位置にあるときは，発音動作手段である発音スイッチ１５を押釦して操作した時にスピーカ１３からすべての五玉とすべての一玉の位置によって表わされる数が発音されるように成っている。
【００３９】
モード切替スイッチ１４が第３のモードである３の位置にあるときは，少なくとも五玉１と一玉２のいずれかを移動させたのち所定時間の間にさらに五玉１又は一玉２のいずれかが移動しない場合に，報知手段であるスピーカ１３から，すべての五玉とすべての一玉の位置によって表わされる数が発音されるように成っている。
【００４０】
所定時間については五玉１と一玉２を移動させる運指のスピードによって変化するが，多数実験した結果では，０．６秒から１．０秒が適当であり，そろばんを練習する初心者である小学生等にとっては０．８秒がより好ましい。また，仮に本発明である発音機能付きそろばん練習機３０を，指の運動が不自由になった障害を持ったお年寄り等のリハビリに使用する場合は，１．０秒以上に設定した方がよいと判断され，所定時間は障害の程度により一定の範囲で自由に設定できるようにしてもよい。
【００４１】
なお所定時間の計測は，図９のブロック図に示した制御部２００に内蔵されたタイマー部（図示せず）によって行うように成っている。
【００４２】
図９は，本発明である発音機能付きそろばん練習機３０の回路構成を示すブロック図であり，モード切替スイッチ１４，発音スイッチ１５，検出手段１００の信号が制御部２００に入力される。制御部２００にはタイマー部が内蔵されると共に電源部１７より電気が供給され，モード切替スイッチ１４，発音スイッチ１５，検出手段１００の信号を受けて，上述のようにスピーカ１３からの発音を制御するように成っている。
【符号の説明】
【００４３】
１  五玉
２  一玉
３  梁部
４ａ  溝部
４ｂ  溝部
５  長穴部
６  壁部
７  スライド桁軸
７ａ  連設部
８  ガイド長孔
９  窓部
１０  弾き部
１１  耳部
１１ａ  連接部
１１ｂ  スライド片
１１ｃ  段差部
１２  検出端子
１３  スピーカ
１４  モード切替スイッチ
１５  発音スイッチ
１７  電源部
１８  電池ボックス
２０  導電板
２２  検出端子
３０  発音機能付きそろばん練習機
３２，４２，５２，６２，７２  検出端子
１００  検出手段
２００  制御部
Ａ  一の桁
Ｂ  十の桁
Ｃ  百の桁 
【図１１】
2012242815.tif 000003
【図１】
2012242815.tif 000004
【図２】
2012242815.tif 000005
【図３】
2012242815.tif 000006
【図４】
2012242815.tif 000007
【図５】
2012242815.tif 000008
【図６】
2012242815.tif 000009
【図７】
2012242815.tif 000010
【図８】
2012242815.tif 000011
【図９】
2012242815.tif 000012
【図１０】
2012242815.tif 000013